(57)【特許請求の範囲】
【請求項１】
上面にペットの乗るスペースを設けた平板状の基台部の一端部に本体部を立ち上がるように設け、基台部の上面に積層するように熱伝導板を装着し、熱伝導板の本体部側の端部にＬ字状に曲げて上方に立ち上がる立ち上がり部を設け、この立ち上がり部に冷却加熱ユニットを装着して本体部に冷却加熱ユニットを備え、上記ペットの乗るスペースの上方をドーム状で断熱性のあるカバー体にて覆ったことを特徴とする小動物用冷暖房装置。
【請求項２】
折り曲げ自在のシートまたは可撓性のシートを曲成してドーム状のカバー体を形成し、カバー体を着脱自在に取り付けたことを特徴とする請求項１記載の小動物用冷暖房装置。
【請求項３】
カバー体の両端及び基台部の両端部に接合部を設け、接合部同士を接合することでカバー体の曲げ形状を保持するようにして成ることを特徴とする請求項２記載の小動物用冷暖房装置。
【請求項４】
折り曲げ自在のシートよりなるカバー体を固定するために、曲げ自在のパイプを曲成した骨組みを形成し、基台部の両端部に骨組みの接合部を設けて骨組みを曲形状に保持し、骨組みに上記シートよりなるカバー体を被せて成ることを特徴とする請求項２記載の小動物用冷暖房装置。
【請求項５】
骨組みを形成しているパイプが伸縮自在であり、パイプを伸縮させることによりドーム状形状の高さを変えることができるようにして成ることを特徴とする請求項４記載の小動物用冷暖房装置。
【請求項６】
複数本の横パイプと縦パイプとを組み立てて骨組みを形成し、カバー体の一端にペットの出入り口を設け、骨組みの横パイプのうち出入り口側に位置する横パイプを立てて取り付ける角度を可変とすることにより上記出入り口の開口角度を変えることができるようにして成ることを特徴とする請求項４記載の小動物用冷暖房装置。
【発明の詳細な説明】
【０００１】
【発明の属する技術分野】
本発明は小動物用冷暖房装置に関し、詳しくは断熱する構造に関するものである。
【０００２】
【従来の技術】
従来、特開平７−１６０３２号公報に開示されるようにペット用ハウスに保温装置を取り付けて冬季にペット用ハウス内を保温する方法が提供されている。
【０００３】
【発明が解決しようとする課題】
ところが、前述の従来例のような保温方法では、保温だけの機能しかなく、冷暖の切り換えができないために冬季の防寒しかできないという問題があり、またヒータによる保温のために安全面での問題があった。また折り畳みできないために持ち運びに不便であるという問題があった。
【０００４】
本発明は上記の点に鑑みてなされたものであり、冷暖房ができると共に冷暖房の効率を高めることができ、収納時や持ち運び時に場所をとらない小動物用冷暖房装置を提供するにある。
【０００５】
【課題を解決するための手段】
上記課題を解決するために本発明の請求項１の小動物用冷暖房装置は、上面にペット３の乗るスペース４を設けた平板状の基台部２の一端部に本体部１０を立ち上がるように設け、基台部２の上面に積層するように熱伝導板１１を装着し、熱伝導板１１の本体部１０側の端部にＬ字状に曲げて上方に立ち上がる立ち上がり部１１ａを設け、この立ち上がり部１１ａに冷却加熱ユニット１を装着して本体部１０に冷却加熱ユニット１を備え、上記ペット３の乗るスペース４の上方をドーム状で断熱性のあるカバー体５にて覆ったことを特徴とする。冷却加熱ユニット１で冷却したり加熱したりすることで冷暖房ができる。またカバー体５で覆うことで断熱性を向上させて冷暖房の効率を向上させることができる。
【０００６】
また本発明の請求項２の小動物用冷暖房装置は、請求項１において、折り曲げ自在のシートまたは可撓性のシートを曲成してドーム状のカバー体５を形成し、カバー体５を着脱自在に取り付けたことを特徴とする。カバー体５を取り外して畳んだりでき、保管時のスペースを削減することができると共に持ち運びやすさを向上できる。
【０００７】
また本発明の請求項３の小動物用冷暖房装置は、請求項２において、カバー体５の両端及び基台部２の両端部に接合部を設け、接合部同士を接合することでカバー体５の曲げ形状を保持するようにして成ることを特徴とする。カバー体５を接合部で接合することでペット３を覆う状態にでき、また接合部の接合を外すことでカバー体５を外して保管時のスペースを削減したり、持ち運びをしやすくしたりできる。
【０００８】
また本発明の請求項４の小動物用冷暖房装置は、請求項２において、折り曲げ自在のシートよりなるカバー体５を固定するために、曲げ自在のパイプ９を曲成した骨組み８を形成し、基台部２の両端部に骨組み８の接合部を設けて骨組み８を曲形状に保持し、骨組み８に上記シートよりなるカバー体５を被せて成ることを特徴とする。折り曲げ自在のシートよりなるカバー体５でも骨組み８にて保持してペット３を覆う形状に保持でき、骨組み８を取り外したときは嵩張らないようにできる。
【０００９】
また本発明の請求項５の小動物用冷暖房装置は、請求項４において、骨組み８を形成しているパイプ９が伸縮自在であり、パイプ９を伸縮させることによりドーム状形状の高さを変えることができるようにして成ることを特徴とする。ペット３の体格に対応することができる。
【００１０】
また本発明の請求項６の小動物用冷暖房装置は、請求項４において、複数本の横パイプ９ａと縦パイプ９ｂとを組み立てて骨組み８を形成し、カバー体５の一端にペットの出入り口を設け、骨組み８の横パイプ９ａのうち出入り口側に位置する横パイプ９ａを立てて取り付ける角度を可変とすることにより上記出入り口の開口角度αを変えることができるようにして成ることを特徴とする。出入り口の開口角度αを変えることで体格の異なるペット３や明るい場所または薄暗い場所を好むペット３等に対応することができ、飼い主の満足度を向上させることができる。
【００１１】
【発明の実施の形態】
図１乃至図４に示す例から述べる。平板状の基台部２の一端部には冷暖房装置の本体部１０を立ち上がるように設けてある。基台部２はプレート状またはマット状である。基台部２の上面にはアルミニウムプレートのような熱伝導性のよいプレートよりなる熱伝導板１１を積層するように装着してある。熱伝導板１１の本体部１０側の端部はＬ字状に曲げて上方に立ち上がる立ち上がり部１１ａを設けてあり、この立ち上がり部１１ａに冷却加熱ユニット１としてのペルチェユニット１ａを装着してある。このペルチェユニット１ａはペルチェ素子１２と放熱フィン１３とアルミニウムよりなる熱伝導体１４とで構成されている。ペルチェユニット１ａの放熱フィン１３には冷却ファン１５を対向するように配置してある。この本体部１０はカバー６にて覆ってある。しかしてペルチェユニット１ａにて冷熱を発生すると、基台部２上に乗ったペット３の冷房ができ、ペルチェユニット１ａで温熱を発生すると、基台部２に乗ったペット３の暖房ができるようになっている。
【００１２】
基台部２上のペット３の乗るスペース４を覆うドーム状のカバー体５は本例の場合、発泡ウレタン板、フェルト等の可撓性シートにて形成されている。本例の場合、カバー体５は本体カバー部５ａと背面カバー部５ｂとで構成されている。本体カバー部５ａは平板状であり、接合穴１６を穿孔してある。また本体カバー部５ａの一側には嵌合穴１７を設けてあり、本体カバー部５ａの他側には円弧状の切り欠き１８を設けてある。背面カバー部５ｂは略半円板状に形成されており、背面カバー部５ｂの外周には嵌合突起１９を突設してある。本体カバー部５ａは基台部２の上方で略逆Ｕ字状になるように曲げられ、本体部１０側の端部で背面カバー部５ｂが垂直になるように立設され、嵌合突起１９と嵌合穴１６とが嵌合され、さらに固定ベルト２０を接合部としての接合穴１６に挿通して基台部２と本体カバー部５ａとが接合され、カバー体５がドーム状に組み立てられる。このとき本体カバー部５ａが可撓性シートであるために基台部２に接合するだけで所定の形状に保持できる。このようにドーム状に組み立てられたカバー体５で基台部２上のペット３を覆うことで断熱性を維持でき、冷暖房の効率を向上できる。上記のようにカバー体５でペット３を覆うが、使用しないときはカバー体５を取り外し、本体カバー部５ａと背面カバー部５ｂとに分解でき、保管時のスペースを削減できると共に持ち運びもしやすくできる。
【００１３】
また上記例ではカバー体５を接合穴１６に通した固定ベルト２０にて固定しているが、図５の例ではカバー体５の本体カバー部５ａの両端に嵌合穴２１を設け、基台部２の両側に設けたリブ状の嵌合突起２２を嵌合穴２１に嵌合することで基台部２にカバー体５を取り付けている。また図６の例では基台部２の両側に切り込み２３を設け、本体カバー部５ａの両端に設けた釦２４を切り込み２３に差し込み係止することで本体カバー部５ａを取り付けている。
【００１４】
また図７の例では基台部２上に骨組み８を組み立て、骨組み８に被せるようにカバー体５を被着してある。骨組み８がパイプ９にて形成されるもので、複数本の横パイプ９ａと縦パイプ９ｂとを組み立ててあり、横パイプ９ａを略逆Ｕ字状に折り曲げて横パイプ９ａの下端を基台部２の両側の組み込み穴２５に差し込んで固定してある。このように組み立てることで骨組み８を所定形状に保形して組み立ててある。カバー体５は折り曲げ自在なシートまたは可撓性のシートにて形成されており、骨組み８をカバー体５にて覆ってペット３が入るスペース４を形成するようになっている。このように骨組み８でカバー体５を支持するようにすると、カバー体５が折り曲げ自在なシートにて形成してあってもカバー体５を保形できる。またカバー体５を外すと共に骨組み８を外し、骨組み８の横パイプ９ａを真っ直ぐにするとコンパクトにして保管したり、持ち運んだりできる。また骨組み８の横パイプ９ａは図７の矢印Ａに示す方向に伸縮自在になっており、横パイプ９ａを伸縮させると、カバー体５の大きさを変更するだけで、ペット３を入れるスペース４の大きさを自由に変えることができ、ペット３の体格に合わせることができる。
【００１５】
また骨組み８の横パイプ９ａのうち出入り口側に位置する横パイプ９ａ′を立てて取り付ける角度を自由に変え、出入り口角度αを自由に変えることができるようになっている。つまり、図８（ａ）のように横パイプ９ａ′を垂直に立てたり、図８（ｂ）のように横パイプ９ａ′を外側に傾けるように立てたり、横パイプ９ａ′を内側に傾けるように立てたりして出入り口角度αを自由に変えることができるようになっている。出入り口の開口角度を変えることで体格の異なるペット３や明るい場所または薄暗い場所を好むペット３等に対応することができ、飼い主の満足度を向上させることができる。
【００１６】
また図９は他の例を示すものである。カバー体５で覆ったスペース４の背面側の上部に消臭フィルター２６を取り付けてあり、消臭フィルター２６の部分と本体部１０内とをダクト２７にて連通させてある。本体部１０内でダクト２７の端部と対応する部分には送風ファン２８を内装してあり、送風ファン２８の下方には冷却加熱ユニット１としてのペルチェユニット１ａを装着してある。ペルチェユニット１ａはペルチェ素子１２と放熱フィン１３と送風フィン２９とで構成されている。しかして送風ファン２８を駆動すると、カバー体５で覆われたスペース４の空気を消臭フィルター２６を通して消臭し、消臭した空気をダクト２７を介して本体部１０内に導入し、本体部１０内に導入した空気の一部を放熱フィン１３を介して外部に放出し、本体部１０内に導入した空気の残りを送風ファン２８に通して熱交換し、熱交換した空気をカバー体５にて覆われたスペース４に送り込むことができるようになっている。このようにすると、消臭フィルター２６に空気を通す送風ファン２８で、放熱フィン１３と送風フィン２９に空気を送るファンを共用化でき、構造が簡単で組み立てを容易にできる。
【００１７】
【発明の効果】
本発明は、上面にペットの乗るスペースを設けた平板状の基台部の一端部に本体部を立ち上がるように設け、基台部の上面に積層するように熱伝導板を装着し、熱伝導板の本体部側の端部にＬ字状に曲げて上方に立ち上がる立ち上がり部を設け、この立ち上がり部に冷却加熱ユニットを装着して上記本体部に冷却加熱ユニットを備え、上記ペットの乗るスペースの上方をドーム状で断熱性のあるカバー体にて覆ったものであって、冷却加熱ユニットで冷却したり加熱したりすることで冷暖房ができるのは勿論、カバー体で覆うことで断熱性を向上させて冷暖房の効率を向上させることができるものである。
【００１８】
また本発明の請求項２の発明は、請求項１において、折り曲げ自在のシートまたは可撓性のシートを曲成してドーム状のカバー体を形成し、カバー体を着脱自在に取り付けたので、カバー体を取り外して畳んだりでき、保管時のスペースを削減することができると共に持ち運びやすさを向上できるものである。
【００１９】
また本発明の請求項３の発明は、請求項２において、カバー体の両端及び基台部の両端部に接合部を設け、接合部同士を接合することでカバー体の曲げ形状を保持するようにしているので、カバー体を接合部で接合することでペットを覆う状態にでき、また接合部の接合を外すことでカバー体を外して保管時のスペースを削減したり、持ち運びをしやすくしたりできるものである。
【００２０】
また本発明の請求項４の発明は、請求項２において、折り曲げ自在のシートよりなるカバー体を固定するために、曲げ自在のパイプを曲成した骨組みを形成し、基台部の両端部に骨組みの接合部を設けて骨組みを曲形状に保持し、骨組みに上記シートよりなるカバー体を被せているので、折り曲げ自在のシートよりなるカバー体でも骨組みにて保持してペットを覆う形状に保持できるものであり、また骨組みを取り外したときは嵩張らないようにできるものである。
【００２１】
また本発明の請求項５の発明は、請求項４において、骨組みを形成しているパイプが伸縮自在であり、パイプを伸縮させることによりドーム状形状の高さを変えることができるようにしているので、ペットの体格に対応することができるものである。
【００２２】
また本発明の請求項６の発明は、請求項４において、複数本の横パイプと縦パイプとを組み立てて骨組みを形成し、カバー体の一端にペットの出入り口を設け、骨組みの横パイプのうち出入り口側に位置する横パイプを立てて取り付ける角度を可変とすることにより上記出入り口の開口角度を変えることができるようにしているので、出入り口の開口角度を変えることで体格の異なるペットや明るい場所または薄暗い場所を好むペット等に対応することができ、飼い主の満足度を向上させることができるものである。
【図面の簡単な説明】
【図１】本発明の実施の形態の一例の概略断面図である。
【図２】同上のカバーを装着した状態の概略断面図である。
【図３】同上の斜視図である。
【図４】（ａ）は同上の本体カバー部の平面図、（ｂ）は同上の背面カバー部の平面図である。
【図５】同上の他例の分解斜視図である。
【図６】（ａ）は同上の他例の分解斜視図、（ｂ）は要部の組み立て状態の断面図である。
【図７】同上の他例の分解斜視図である。
【図８】（ａ）（ｂ）は同上の他例を説明する断面図である。
【図９】同上の他例の断面図である。
【符号の説明】
１  冷却加熱ユニット
２  基台部
３  ペット
４  スペース
５  カバー体
８  骨組み
９  パイプ
【図１】
0003820774.tif 000002
【図２】
0003820774.tif 000003
【図３】
0003820774.tif 000004
【図４】
0003820774.tif 000005
【図５】
0003820774.tif 000006
【図６】
0003820774.tif 000007
【図７】
0003820774.tif 000008
【図８】
0003820774.tif 000009
【図９】
0003820774.tif 000010